(57)【特許請求の範囲】
【請求項１】
メディアストリームの状態を検知し第１の検知信号を送出するメディア状態検知手段と、
前記メディアストリームを提示する提示装置の接続状態を検知し第２の検知信号を送出する接続状態検知手段と、
前記メディア状態検知手段から出力された第１の検知信号と、前記接続状態検知手段から出力された第２の検知信号と、前記メディアストリームの前記提示装置ごとの出力状態を規定する優先出力情報と、に基づき前記メディアストリームの出力状態を決定するメディアストリーム出力状態決定手段と、
前記メディアストリーム出力状態決定手段の指示に基づき前記メディアストリームを前記提示装置に出力する出力手段と、
を有する情報出力装置。
【請求項２】
請求項１に記載の情報出力装置であって、
前記優先出力情報を設定する設定手段を備える情報出力装置。
【請求項３】
請求項１又は請求項２に記載の情報出力装置であって、
前記情報出力装置への操作入力を検出して操作入力情報を出力する操作入力受付手段を備え、
前記メディアストリーム出力状態決定手段は、当該操作入力情報に基づいて前記出力状態を決定することを特徴とする情報出力装置。
【請求項４】
請求項２に記載の情報出力装置であって、
前記設定手段は、複数の前記優先出力情報を保持し、前記優先出力情報の選択肢を提示して選択操作の操作入力を受け付けることにより前記優先出力情報を設定することを特徴とする情報出力装置。
【請求項５】
請求項３に記載の情報出力装置であって、
前記メディアストリーム出力状態決定手段は、前記メディアストリームの状態と、前記提示装置の接続状態と、前記優先出力情報と、から求める優先的な前記出力状態が２以上あるとき、前記出力状態の選択肢を提示して選択操作の操作入力を受け付け、当該操作入力情報に基づいて前記出力状態を決定することを特徴とする情報出力装置。
【請求項６】
請求項５に記載の情報出力装置であって、
前記メディアストリーム出力状態決定手段は、前記出力状態の選択肢のうち前記出力手段に最後に接続された前記提示装置に前記メディアストリームを出力する選択肢を優先的に提示することを特徴とする情報出力装置。
【請求項７】
メディアストリームを出力する情報出力制御方法であって、
メディアストリームの状態を検知する工程と、
検知した前記メディアストリームの状態を第１の検知信号として送出する工程と、
前記メディアストリームを提示する提示装置の接続状態を検知する工程と
検知した前記提示装置の接続状態を第２の検知信号として送出する工程と、
前記第１の検知信号と、前記第２の検知信号と、前記メディアストリームの前記提示装置ごとの出力状態を規定する優先出力情報と、に基づき前記メディアストリームの出力状態を決定する工程と、
前記メディアストリームを前記出力状態に基づき前記提示装置に出力する工程と、
を含む情報出力制御方法。
【請求項８】
請求項７に記載の情報出力制御方法であって、
前記優先出力情報を変更する工程を含む情報出力制御方法。
【請求項９】
請求項７又は請求項８に記載の情報出力制御方法であって、
操作入力を検知して操作入力情報を出力する工程と、を含み
前記メディアストリームの出力状態を決定する工程は、前記操作入力情報の出力に基づいて前記出力状態を決定する情報出力制御方法。
【請求項１０】
請求項８に記載の情報出力制御方法であって、
前記優先出力情報を変更する工程は、複数の前記優先出力情報を保持し、前記優先出力情報の選択肢を提示して選択操作の操作入力を受け付けることにより前記優先出力情報を変更することを特徴とする情報出力制御方法。
【請求項１１】
請求項９に記載の情報出力制御方法であって、
前記メディアストリームの出力状態を決定する工程は、前記メディアストリームの状態と、前記提示装置の接続状態と、前記優先出力情報と、から求める優先的な前記出力状態が２以上あるとき、前記出力状態の選択肢を提示して選択操作の操作入力を受け付け、当該操作入力情報に基づいて前記出力状態を決定することを特徴とする情報出力制御方法。
【請求項１２】
請求項１１に記載の情報出力制御方法であって、
前記メディアストリームの出力状態を決定する工程は、前記出力状態の選択肢のうち前記出力手段に最後に接続された前記提示装置に前記メディアストリームを出力する選択肢を優先的に提示することを特徴とする情報出力制御方法。
【請求項１３】
メディアストリームを出力する情報出力制御プログラムであって、
メディアストリームの状態を検知するステップと、
前記メディアストリームの状態を第１の検知信号として送出するステップと、
前記メディアストリームを提示する提示装置の接続状態を検知するステップと
前記提示装置の接続状態を第２の検知信号として送出するステップと、
前記第１の検知信号と、前記第２の検知信号と、前記メディアストリームの前記提示装置ごとの出力状態を規定する優先出力情報と、に基づき前記メディアストリームの出力状態を決定するステップと、
前記メディアストリームを前記出力状態に基づき前記提示装置に出力するステップと、を含む情報出力制御プログラム。
【請求項１４】
請求項１３に記載の情報出力制御プログラムであって、
前記優先出力情報を変更するステップを含む情報出力制御プログラム。
【請求項１５】
請求項１３又は請求項１４に記載の情報出力制御プログラムであって、
操作入力を検知して操作入力情報を出力するステップと、
前記操作入力情報の出力に基づいて前記メディアストリームの出力状態を決定するステップとを含む情報出力制御プログラム。
【請求項１６】
請求項１４に記載の情報出力制御プログラムであって、
前記優先出力情報を変更するステップは、複数の前記優先出力情報を保持し、前記優先出力情報の選択肢を提示して選択操作の操作入力を受け付けることにより前記優先出力情報を変更することを特徴とする情報出力制御プログラム。
【請求項１７】
請求項１５に記載の情報出力制御プログラムであって、
前記メディアストリームの出力状態を決定するステップは、前記メディアストリームの状態と、前記提示装置の接続状態と、前記優先出力情報と、から求める優先的な前記出力状態が２以上あるとき、前記出力状態の選択肢を提示して選択操作の操作入力を受け付け、当該操作入力情報に基づいて前記出力状態を決定することを特徴とする情報出力制御プログラム。
【請求項１８】
請求項１７に記載の情報出力制御プログラムであって、
前記メディアストリームの出力状態を決定するステップは、前記出力状態の選択肢のうち前記出力手段に最後に接続された前記提示装置に前記メディアストリームを出力する選択肢を優先的に提示することを特徴とする情報出力制御プログラム。
【発明の詳細な説明】
【技術分野】
【０００１】
本発明は映像音響データの出力機能を有する情報出力装置に関するものである。
【背景技術】
【０００２】
近年、携帯電話端末の多機能化が進み、通話機能や電子メールの送受信機能以外に、テレビ放送やラジオ放送などを受信する機能が備えられ、テレビ放送やラジオ放送などのコンテンツを視聴する機能や、メモリーカードなどに記憶された映画や音楽などのコンテンツを再生する機能などを備えるようになってきている。このような携帯電話端末においては、コンテンツ再生中にも通話することができるので、コンテンツの再生を中断することなく通話によるコミュニケーションを行うことができる（例えば、特許文献１参照）。
【０００３】
このような従来のコンテンツ再生機能を備えた携帯電話端末においてコンテンツ再生中に着信があった場合、接続されたステレオヘッドホンの片側のスピーカーからコンテンツ再生音を出力し、もう一方のスピーカーから通話音声を出力するようにしたものである。
【０００４】
これによりユーザは、コンテンツ再生音と通話音声の両方を混乱なく同時に認識することが可能となっている。（例えば、特許文献１参照）。
【特許文献１】特開２００２−２７０２９号公報
【発明の開示】
【発明が解決しようとする課題】
【０００５】
しかしながら、上記従来の携帯電話端末にあっては、携帯電話端末に接続された音響機器の種類によってはコンテンツ再生音と通話音声とを区別して、同時に聴取する事ができない場合があった。
【０００６】
たとえば上記携帯電話端末から再生される音声は、ステレオヘッドホンからモノラルイヤホンに変更した場合には、コンテンツ音と通話音声の両者が重畳されて再生されてしまう。あるいはコンテンツ再生音と通話音声のいずれか一方だけが再生されてしまう。このように、ユーザは、コンテンツ再生音と通話音声とを区別して、同時に聴取する事ができなかった。このため、ユーザは、再生コンテンツの聴取と通話とを同時に行うことが困難であった。
【０００７】
また、携帯電話端末に接続する音響機器の機能や性能に応じた最適な提示方法を自動的に選択するものではなかった。
【０００８】
たとえば、高性能なヘッドホンを接続した場合には音楽コンテンツをヘッドホンに、通話音声を端末の内蔵スピーカーに出力する。または、通話専用のモノラルヘッドホンとマイクがセットになったヘッドセットを接続した場合には通話音声をヘッドセットに、音楽コンテンツを端末の内蔵スピーカーに出力する。このように、接続する機器の機能や性能に応じて出力の状態を自動的に切替えることができなかった。
【０００９】
本発明は、上記従来の課題を解決するものであり、携帯電話端末と接続する音響機器、および出力するメディアストリームの組合せに応じて出力方法を最適にすることができることができる情報出力装置を提供することを目的としている。
【００１０】
また本発明は、上記従来の課題を解決するものであり、携帯電話端末と接続する音響機器、および出力するメディアストリームの組合せに応じて出力方法を最適に変化させる出力制御方法を提供することを目的としている。
【００１１】
また本発明は、上記従来の課題を解決するものであり、携帯電話端末と接続する音響機器、および出力するメディアストリームの組合せに応じて出力方法を最適に変化させる情報出力制御プログラムを提供することを目的としている。
【００１２】
なお、本明細書中に表記するメディアストリームとは、少なくとも画像または音または振動に変換可能で時系列に配置された一連のデータ列を指す。例として通話音声やテレビ放送やラジオ放送、メモリーカードなどに記憶した動画や音楽などの映像や音響やバイブレーションパターンなどが想定される。
【課題を解決するための手段】
【００１３】
前記従来の課題を解決するために、本発明の情報出力装置は、メディアストリームの状態を検知し第１の検知信号を送出するメディア状態検知手段と、前記メディアストリームを提示する提示装置の接続状態を検知し第２の検知信号を送出する接続状態検知手段と、前記メディア状態検知手段から出力された第１の検知信号と前記メディアストリーム接続状態検知手段から出力された第２の検知信号とに基づき前記メディアストリームの出力状態を決定するメディアストリーム出力状態決定手段と、前記メディアストリーム出力状態決定手段の指示に基づき前記メディアストリームを前記提示装置に出力する出力手段とを有する。上記構成によれば、メディアストリームをどのように提示装置に出力するかを、メディアストリームの組合せと提示装置の接続状態に応じて変化させることができるため、利便性を向上させることができる。
【００１４】
また本発明の情報出力装置は、前記メディア状態検知手段が１ないしは複数のメディアストリームの状態を検知し第１の検知信号を送出することを特徴とするものである。上記構成によれば、メディアストリームそれぞれの状態に応じて、提示装置の出力を変化させることができるため、利便性を向上させることができる。
【００１５】
また本発明の情報出力装置は、前記接続状態検知手段が１ないしは複数の提示装置の接続状態を検知して第２の検知信号を送出し、前記メディアストリーム出力状態決定手段は、前記メディアストリームを前記複数の提示装置の一つに出力することを決定する構成をとる。上記構成によれば、１ないしは複数のメディアストリームを複数の提示装置のなかの一つの提示装置にまとめて出力させることができるため、１箇所に情報をまとめることができるため利便性を向上する。
【００１６】
また本発明の情報出力装置は、前記接続状態検知手段が複数の提示装置の接続状態を検知し第２の検知信号を送出し、前記メディアストリーム出力状態決定手段は前記メディアストリームを前記複数の提示装置に出力することを決定する構成を有する。上記構成によれば、１ないしは複数のメディアストリームをそれぞれの提示装置に出力することができるため、ひとつひとつのメディアストリームの情報がより明確に識別可能となる。
【００１７】
また、本発明の情報出力装置は、前記メディアストリームの出力状態を規定する優先出力情報に基づいて前記出力状態を決定することを特徴とするものである。上記構成によれば、メディアストリームをどのように提示装置に出力するかを、メディアストリームの組合せと提示装置の接続状態に応じて最適に変化させることができるため、利便性を向上させることができる。
【００１８】
また、本発明の情報出力装置は、前記優先出力情報を設定する設定手段を備えるものである。上記構成によれば、メディアストリームをどのように提示装置に出力するかを、ユーザの好みを反映して最適に変化させることができるため、利便性を向上させることができる。
【００１９】
また、本発明の情報出力装置は、前記情報出力装置への操作入力を検出して操作入力情報を出力する操作入力受付手段を備え、当該操作入力情報に基づいて前記出力状態を決定することを特徴とするものである。上記構成によれば、メディアストリームをどのように提示装置に出力するかを、ユーザの選択に応じて柔軟に変化させることができるため、利便性を向上させることができる。
【００２０】
また、本発明の情報出力制御方法は、メディアストリームを出力する出力制御方法であって、メディアストリームの状態を検知する工程と、検知した前記メディアストリームの状態を第１の検知信号として送出する工程と、前記メディアストリームを提示する提示装置の接続状態を検知する工程と、検知した前記提示装置の接続状態を第２の検知信号として送出する工程と、前記第１の検知信号と前記第２の検知信号とに基づき前記メディアストリームの出力状態を決定する工程と、前記メディアストリームを前記出力状態に基づき前記提示装置に出力する工程を有する。上記方法によればメディアストリームをどのように提示装置に出力するかを、メディアストリームの組合せと提示装置の接続状態に応じて変化させることができるため、利便性を向上させることができる。
【００２１】
また、本発明の情報出力制御方法は、前記メディアストリームの出力状態を規定する優先出力情報に基づいて前記メディアストリームの出力状態を決定するものである。上記方法によれば、メディアストリームをどのように提示装置に出力するかを、メディアストリームの組合せと提示装置の接続状態に応じて最適に変化させることができるため、利便性を向上させることができる。
【００２２】
また、本発明の情報出力制御方法は、前記優先出力情報を変更する工程を含むものである。上記方法によれば、メディアストリームをどのように提示装置に出力するかを、ユーザの好みを反映して最適に変化させることができるため、利便性を向上させることができる。
【００２３】
また、本発明の情報出力制御方法は、操作入力を検知して操作入力情報を出力する工程と、前記操作入力情報の出力に基づいて前記出力状態を決定するものである。上記方法によれば、メディアストリームをどのように提示装置に出力するかを、ユーザの選択に応じて柔軟に変化させることができるため、利便性を向上させることができる。
【００２４】
また、本発明の情報出力制御プログラムは、メディアストリームを出力する情報出力制御プログラムであって、メディアストリームの状態を検知し、前記メディアストリームの状態を第１の検知信号として送出するステップと、前記メディアストリームを提示する提示装置の接続状態を検知するステップと前記提示装置の接続状態を第２の検知信号として送出するステップと、前記第１の検知信号と前記第２の検知信号とに基づき前記メディアストリームの出力状態を決定するステップと、前記メディアストリームを前記出力状態に基づき前記提示装置に出力するステップと、から成る情報出力制御プログラムである。上記プログラムによれば、メディアストリームをどのように提示装置に出力するかを、メディアストリームの組合せと提示装置の接続状態に応じて変化させることができるため、利便性を向上させることができる。
【００２５】
また、本発明の情報出力制御プログラムは、前記出力状態が、前記メディアストリームの優先的な出力状態を規定する優先出力情報に基づいて決定するものである。上記プログラムによれば、メディアストリームをどのように提示装置に出力するかを、メディアストリームの組合せと提示装置の接続状態に応じて最適に変化させることができるため、利便性を向上させることができる。
【００２６】
また、本発明の情報出力制御プログラムは、前記優先出力情報を変更するステップを含むものである。上記プログラムによれば、メディアストリームをどのように提示装置に出力するかを、ユーザの好みを反映して最適に変化させることができるため、利便性を向上させることができる。
【００２７】
また、本発明の情報出力制御プログラムは、操作入力を検知するステップを有し、前記出力状態を、前記操作入力に基づいて決定するものである。上記プログラムによれば、メディアストリームをどのように提示装置に出力するかを、ユーザの選択に応じて柔軟に変化させることができるため、利便性を向上させることができる。
【発明の効果】
【００２８】
本発明によれば、情報出力装置に接続する提示装置の違い、および出力するメディアストリームの組合せに応じて出力方法を最適に変化させることができ、利便性を向上させることができる。
【発明を実施するための最良の形態】
【００２９】
以下本発明を実施するための最良の形態について、図面を参照しながら説明する。なお、実施の形態を説明するための全図において、同一の構成要素には同一符号を付与し、重複する説明は、省略する。
【００３０】
図１は、本発明の携帯電話端末の構成図である。図１に記載した構成要素のうち、携帯電話端末１が本発明の情報出力装置に該当する部分である。携帯電話端末１はメディア状態検知手段１０５、接続状態検知手段１０２、出力手段５１、制御部９０を備える。
【００３１】
提示装置２は携帯電話端末１に接続され、出力手段５１が出力するメディアストリームを視認または聴取可能に提示する装置である。提示装置２は例えば、内蔵液晶ディスプレイ、外部接続したディスプレイ装置、ＬＥＤ、内蔵スピーカー、ヘッドセット、ステレオヘッドホンなどが考えられる。
【００３２】
メディア状態検知手段１０５は、出力手段５１に入力されるメディアストリームの開始、再生中、終了などの状態を検知する。そして、メディア状態検知手段１０５は検知したメディアストリームの状態とメディアストリームの種類の情報を第１の検知信号１０６として制御部９０に通知する。
【００３３】
接続状態検知手段１０２は、出力手段５１と提示装置２との接続状態を検知する。そして、接続状態検知手段１０２は検知した接続状態と接続先の提示装置の種類などを第２の検知信号１０３として制御部９０に通知する。接続状態とは、提示装置との接続が結合された状態、および離れた状態、また提示装置に備えられた音量調節器など調節器の状態など、提示装置と携帯電話端末１との接続状態である。
【００３４】
制御部９０は、第１の検知信号１０６と第２の検知信号１０３に基づいて出力手段５１の出力状態を決定して出力手段５１に指示する。出力手段５１は、入力されたメディアストリームを制御部９０が決定した出力状態に基づいて提示装置２に出力する。
【００３５】
図２は、本発明の実施の形態を説明するための携帯電話端末１の内部構成をさらに詳しく示した構成図である。
【００３６】
無線通信部１０は、無線回線網を介して他の情報装置との無線通信を司る部分である。
【００３７】
無線通信部１０は、無線通信手段１１、符号化手段１２、復号手段１３、第１メディア状態検知手段１５を備える。無線通信手段１１は、無線回線網との接続と切断および符号化した通話音声データの送受信を行うとともに、着信を検出して着信音再生手段２１に通知する。また、無線通信手段１１は、通話の開始と終了を検出し、第1メディア状態検知
手段１５に通知する。符号化手段１２は、内蔵マイク５２およびＢｌｕｅｔｏｏｔｈ通信手段６１が出力する通話音声を符号化して無線通信手段１１に出力する。復号手段１３は、無線通信手段１１が受信した通話音声データを復号し、得られた音声メディアストリームを出力手段５１の入力チャンネルＩＮ１に出力する。第1メディア状態検知手段１５は
、無線通信手段１１からの通知に基づいて通話音声のメディア状態の情報を含むメディア状態検知信号１６を出力先決定手段９１に出力する。
【００３８】
着信音再生部２０は、着信があったときに着信メロディ等の着信音を再生する機能をもつ部分である。着信音再生部２０は着信音再生手段２１、第２メディア状態検知手段２５を備える。着信音再生手段２１は、無線通信手段１１からの着信の通知を受け、着信音を再生して出力手段５１の入力チャンネルＩＮ２に再生音のメディアストリームを出力するとともに、再生の開始と終了を第２メディア状態検知手段２５に通知する。第２メディア状態検知手段２５は、着信音再生手段２１からの通知に基づいて着信音のメディア状態の情報を含むメディア状態検知信号２６を出力先決定手段９１に出力する。
【００３９】
音楽再生部３０は、音楽コンテンツを再生する機能をもつ部分である。音楽再生部３０は音楽データ蓄積部３１、音楽再生手段３２、第３メディア状態検知手段３５を備える。
【００４０】
音楽データ蓄積部３１は、音楽コンテンツのデータをＡＡＣ（Ａｄｖａｎｃｅｄ  Ａｕｄｉｏ  Ｃｏｄｉｎｇ）や、ＭＰ３（ＭＰＥＧ−１  Ａｕｄｉｏ  Ｌａｙｅｒ３）などの圧縮形式で蓄積する。音楽再生手段３２は、音楽データ蓄積部３１が蓄積している音楽データを再生して出力手段５１の入力チャンネルＩＮ３に再生音のメディアストリームを出力するとともに、再生の開始と終了、および再生中のコンテンツのメディア種別を第３メディア状態検知手段３５に通知する。第３メディア状態検知手段３５は、音楽再生手段３２からの通知に基づいて再生音のメディア状態の情報を含むメディア状態検知信号３６を出力先決定手段９１に出力する。
【００４１】
放送受信部４０は、ＴＶやラジオの放送を受信して再生する部分である。放送受信部４０は放送受信手段４１、分離手段４２、音声復号手段４３、画像復号手段４４、第４メディア状態検知手段４５を備える。放送受信手段４１は、受信した放送波を検波して放送内容を含むＭＰＥＧ４（Ｍｏｖｉｎｇ  Ｐｉｃｔｕｒｅ  Ｅｘｐｅｒｔｓ  Ｇｒｏｕｐ  Ｐｈａｓｅ  ４）形式のプログラムストリームを分離手段４２に出力する。分離手段４２は、放送受信手段４１が出力したプログラムストリームを音声データと画像データに分離し、音声復号手段４３、画像復号手段４４にそれぞれ出力する。音声復号手段４３は、分離手段４２が出力した音声データを復号して出力手段５１の入力チャンネルＩＮ４に復号音声のメディアストリームを出力するとともに、音声データの開始と終了、およびメディア種別を第４メディア状態検知手段４５に通知する。画像復号手段４４は、分離手段４２が出力した画像データを復号して画像フレームごとのピックスマップデータを生成し、表示手段５３に出力する。第４メディア状態検知手段４５は、音声復号手段４３からの通知に基づいて復号音声のメディア状態の情報を含むメディア状態検知信号４６を出力先決定手段９１に出力する。
【００４２】
なお、本発明の実施の形態において、第１メディア状態検知手段１５、第２メディア状態検知手段２５、第３メディア状態検知手段３５、第４メディア状態検知手段４５が図１のメディア状態検知手段１０５に該当する。メディア状態検知信号１６、２６、３６、４６が図１の第１の検知信号１０６に該当する。メディア状態検知信号１６、２６、３６、４６はメディア状態を含む。メディア状態は、メディアストリームが開始している／開始していないのいずれかの値と、メディアストリームのメディア種別との組合せによって定義される。前記の「メディア種別」とはメディアストリームの品質を分類した種別であり、「Ｈｉ−Ｆｉステレオ」、「ステレオ」、「モノラル」、「モノラル通話」のいずれかの値をとる。
【００４３】
出力手段５１は、出力先決定手段９１が決定した出力状態の指示に従って、入力チャンネルＩＮ１、ＩＮ２、ＩＮ３、ＩＮ４に入力されたメディアストリームを、出力チャンネルＯＵＴ１、ＯＵＴ２、ＯＵＴ３へ出力する。このとき、複数の入力チャンネルに入力されたメディアストリームを同一の出力チャンネルに同時に出力するよう指示された場合には、それらのメディアストリームを重畳して出力する。また、同一の入力チャンネルに入力されたメディアストリームを複数の出力チャンネルに同時に出力するよう指示された場合には、指定されたすべての出力チャンネルにそのメディアストリームを出力する。
【００４４】
なお、本発明の実施の形態において、出力状態は、入力されたメディアストリームをどの出力チャンネルに出力するか、すなわちメディアストリームの出力経路で定義される。
【００４５】
内蔵マイク５２は、通話時にユーザが発する音声を電気信号に変換して符号化手段１２に出力する。表示手段５３は、画像復号手段４４から出力されるピックスマップデータを表示したり、出力先決定手段９１の指示により、メッセージや選択項目等を表示してユーザに提示する。十字キー５４は、ユーザの操作を入力するための操作子である。操作入力受付手段５５は、十字キー５４の操作による操作入力を受け付けて操作入力情報５５１を出力先決定手段９１に出力する。設定手段５６は、十字キー５４の操作による操作入力を受け付けて、優先出力情報保持手段９３が保持する優先出力情報９３１を設定する。
【００４６】
Ｂｌｕｅｔｏｏｔｈ通信手段６１はＢｌｕｅｔｏｏｔｈ通信機能を有するヘッドセット６３と通信し、出力手段５１の出力チャンネルＯＵＴ１に出力される音声をヘッドセット６３に、ヘッドセット６３に入力された音声を符号化手段１２にそれぞれ出力するとともに、ヘッドセット６３との通信接続の開始と終了を第１接続状態検知手段６２に通知する。第１接続状態検知手段６２は、Ｂｌｕｅｔｏｏｔｈ通信手段６１からの通知に基づいてヘッドセット６３の接続状態の情報を含む接続状態検知信号６４を出力先決定手段９１に出力する。
【００４７】
ヘッドホンジャック７１は、ステレオヘッドホン７３またはモノラルイヤホン７５を出力手段５１に接続するための端子であり、出力手段５１の出力チャンネルＯＵＴ２に出力される音声を出力するとともに、ステレオヘッドホン７３やモノラルイヤホン７５が着脱されたことを第２接続状態検知手段７２に通知する。第２接続状態検知手段７２は、ヘッドホンジャック７１からの通知に基づいて、ステレオヘッドホン７３とモノラルイヤホン７５の接続状態の情報を含む接続状態検知信号７４を出力先決定手段９１に出力する。
【００４８】
内蔵スピーカー８１は、出力手段５１の出力チャンネルＯＵＴ３に出力される音声メディアストリームを聴取可能な音声に変換して放音する。また、内蔵スピーカー８１は、放音可能な状態であるかどうかを第３接続状態検知手段８２に通知する。マナーモードの設定により内蔵スピーカー８１がオフになった場合には、放音できないことを第３接続状態検知手段８２に通知する。第３接続状態検知手段８２は、内蔵スピーカー８１からの通知に基づいて、内蔵スピーカー８１の接続状態の情報を含む接続状態検知信号８４を出力先決定手段９１に出力する。
【００４９】
なお、本発明の実施の形態において、ヘッドセット６３、ステレオヘッドホン７３、モノラルイヤホン７５、内蔵スピーカー８１が図１の提示装置２に該当する。また、第１接続状態検知手段６２、第２接続状態検知手段７２、第３接続状態検知手段８２が図１の接続状態検知手段１０２に該当する。また、接続状態は、出力手段５１にどの提示装置が接続されているかで定義される。なお、提示装置は携帯電話端末に内蔵されるもの、アダプターを通して接続されるもの、Ｂｌｏｏｔｏｏｔｈ通信による接続されるものの他にＵＳＢ接続のヘッドセットやスピーカー、ＩｒＤＡなどの近距離通信による接続のものなどでもよい。
【００５０】
制御部９０は出力先決定手段９１、状態情報保持手段９２、優先出力情報保持手段９３を備える。出力先決定手段は状態情報保持手段９２、優先出力情報保持手段９３の情報に基づいてメディアストリームの出力状態を決定し、決定した出力状態を出力手段５１に出力する。
【００５１】
状態情報保持手段９２は、携帯電話端末１の状態を表すメディア状態情報９２１、接続状態情報９２２、および出力状態情報９２３を保持する。メディア状態情報９２１は、出力手段５１の入力チャンネルＩＮ１〜ＩＮ４の全メディア状態を記述した情報であり、メディア状態検知信号１６、２６、３６、４６のメディア状態に基づいて作成、更新される。接続状態情報９２２は、出力手段５１の出力チャンネルＯＵＴ１〜ＯＵＴ３の全接続状態を記述した情報であり、接続状態検知信号６４、７４、８４の接続状態に基づいて作成、更新される。出力状態情報９２３は、現在の出力状態を表す情報であり、出力手段５１の入力チャンネルＩＮ１〜ＩＮ４に入力されているメディアストリームがどの出力チャンネルに出力されているかを記述した情報である。優先出力情報保持手段９３は、優先出力情報９３１を保持する。
【００５２】
出力先決定手段９１は、メディア状態検知信号１６、２６、３６、４６のメディア状態と、接続状態検知信号６４、７４、８４の接続状態と、優先出力情報保持手段９３が保持する優先出力情報９３１と、操作入力受付手段５５が出力する操作入力情報５５１に基づいて、出力手段５１の出力状態を決定する。そして、出力先決定手段９１は出力手段５１に出力状態の更新を指示する。また、状態情報保持手段９２が保持するメディア状態情報９２１、接続状態情報９２２、出力状態情報９２３の更新も行う。
【００５３】
図３は、本発明の実施の形態における携帯電話端末のメディア状態検知手段がメディア状態の変化を検知した時、または接続状態検知手段が提示装置と接続状態との変化を検知した時の制御動作手順を示すフローチャートである。出力先決定手段９１は受信した信号がメディア状態検知信号か接続状態検知信号かにより処理を分岐する（ステップＳ１００１）。メディア状態検知信号を検出した場合、状態情報保持手段９２が保持するメディア状態情報９２１をメディア状態検知信号に基づいて更新する（ステップＳ１００２）。接続状態検知信号を検出した場合、状態情報保持手段９２が保持する接続状態情報９２２を接続状態検知信号に基づいて更新する（ステップ１００３）。
【００５４】
ステップＳ１００４〜ステップＳ１０１４では、出力状態を決定する処理を行う。まず、出力先決定手段９１はチャンネルを表す変数Ｃに入力チャンネルＩＮ１をセットする（ステップＳ１００４）。次に、出力先決定手段９１は状態情報保持手段９２が保持するメディア状態情報９２１を参照し、チャンネルＣ、すなわち入力チャンネルＩＮ１にメディアストリームが入力されている状態であるかどうかを調べる（ステップＳ１００５）。入力されている状態とは、通話が開始されている状態、着信音が再生されている状態、音楽コンテンツが再生されている状態、音声データが開始されている状態などである。チャンネルＣにメディアストリームが入力されている場合はメディア状態情報から入力中のメディアストリームの種別を取得し、メディアストリームの種別を変数Ｍに代入する（ステップＳ１００６）。そして、状態情報保持手段９２が保持する接続状態情報９２２と、優先出力情報保持手段９３が保持する優先出力情報９３１を参照し、接続されている提示装置２のうちでメディア種別Ｍの優先度が最も高い提示装置を、提示装置を表す変数Ｄに代入する（ステップＳ１００７）。このとき、メディア種別Ｍの優先度が最も高い装置Ｄが複数ある場合（ステップＳ１００８）、そのメディアストリームをどの提示装置に出力するかの選択肢と入力を促すテキスト（＝補助情報）の表示を表示手段５３に指示する（ステップＳ１００９）。
【００５５】
続いて、ユーザが十字キー５４を操作することにより選択肢を選択すると、操作入力受付手段５５が選択操作を受け付けて出力する操作入力情報５５１を受け取る（ステップＳ１０１０）。出力先決定手段９１は受け取った操作入力情報５５１から提示装置名を抽出して変数Ｄに代入する（ステップＳ１０１１）。ここで、出力先決定手段９１は、提示装置Ｄが接続されている出力手段５１の出力チャンネル（ＯＵＴ１〜ＯＵＴ３のいずれか）に、入力チャンネルＣに入力されているメディアストリームを出力するという情報を、状態情報保持手段９２が保持する出力状態情報９２３に記憶する（ステップＳ１０１２）。
【００５６】
すべての入力チャンネルについてステップＳ１００６〜ステップＳ１０１２の処理が完了していない場合は（ステップＳ１０１３）、出力先決定手段９１は次の入力チャンネルをＣとして（ステップＳ１０１４）、ステップＳ１００５に戻り同様の処理を行う。
【００５７】
出力手段５１のすべての入力チャンネルについてステップＳ１００４〜ステップＳ１０１４の処理が完了すると、出力先決定手段９１は出力状態情報９２３に従って出力状態を更新するよう出力手段５１に指示する（ステップＳ１０１５）。また、出力先決定手段９１はステップＳ１０１５の指示により新たに出力を開始した提示装置について、出力を開始した旨を表示するよう表示手段５３に指示する（ステップＳ１０１６）。
【００５８】
図４は、本発明の実施の形態における優先出力情報９３１を示す図である。縦方向の見出しは出力手段５１に接続される提示装置を示し、横方向の見出しは出力手段５１の入力となるメディアストリームの種別を示す。各欄の数値は、各提示装置に対するメディアストリームの種別ごとの出力優先度を示す。数値０が最も低優先度であり、３が最も高優先度であることを表す。たとえば、ヘッドセットに対してはモノラル通話（優先度３）を最も優先的に出力し、Ｈｉ−Ｆｉステレオ（優先度０）を最も低い優先度で出力することを示している。
【００５９】
以下では、本発明の実施の形態における携帯電話端末における、メディア状態および接続状態が変化した際の動作を、図５〜図１７を用いて説明する。
【００６０】
（第１の実施の形態）
【００６１】
実施の形態１では、携帯電話端末で音楽コンテンツを再生している最中に着信があり、通話を行う。通話中に、Ｂｌｕｅｔｏｏｔｈヘッドセットを携帯電話端末に接続すると、音楽を内蔵スピーカーで、通話音声をヘッドセットで聴取することができるよう、出力状態を自動的に切り替えるものである。
【００６２】
図５は、本発明の実施の形態１における携帯電話端末の利用イメージの説明図である。
【００６３】
携帯電話端末１で再生している音楽が内蔵スピーカー８１から放音され、ユーザがそれを聴いている（図５（ａ））時、着信がある。このとき、ユーザはＢｌｕｅｔｏｏｔｈヘッドセット６３の電源をオンすることによりヘッドセット６３と携帯電話端末１との通信を確立し、ヘッドセット６３から放音される通話音声を聴くとともに、内蔵スピーカー８１から放音される音楽を継続して聴いている（図５（ｂ））。
【００６４】
図６は、実施の形態１における携帯電話端末の処理シーケンス図である。図６の中で、斜線のハッチングを施した部分は、その箇所で制御部９０が先に説明した図３のフローチャートを実行していることを表している。また、図７は、実施の形態１における携帯電話端末の処理において、状態情報保持手段９２が保持するメディア状態情報９２１、接続状態情報９２２、および出力状態情報９２３が、処理が進むにつれてどう変化するかを示した図である。図７中に示す各ステップ番号は、図６のシーケンスに付与したステップ番号に対応している。空欄となっている箇所は、前ステップから内容が変化していないことを表す。また、メディア状態、接続されている装置、出力内容の欄の「−」は、値が設定されていないことを表す。
【００６５】
以下、図６、図７を用いて実施の形態１における携帯電話端末の処理の流れを説明する。まず、初期状態では、メディア状態情報９２１は図７の１１００ａに示す状態となっている。すなわち、出力手段５１の入力チャンネルＩＮ１〜ＩＮ４にメディアストリームは入力されていない。接続状態情報９２２は１１００ｂに示す状態となっている。すなわち、出力手段５１の出力チャンネルＯＵＴ３に内蔵スピーカーが接続されて放音可能となっており、その他の出力チャンネル（ＯＵＴ１、ＯＵＴ２）には提示装置は接続されていない。出力状態情報９２３は１１００ｃに示す状態となっている。すなわち、出力チャンネルＯＵＴ１〜ＯＵＴ３には何も出力されていない。
【００６６】
音楽再生の開始（ステップＳ１０１）により、音楽再生手段３２が出力する音楽コンテンツ（メディア種別＝「Ｈｉ−Ｆｉステレオ」）のメディアストリームが、出力手段５１の入力チャンネルＩＮ３に入力される（ステップＳ１０２、Ｓ１０３）。第３メディア状態検知手段３５は、音楽再生が開始したことを検知し（ステップＳ１０４）、制御部９０に対してメディア状態検知信号３６を送信する（ステップＳ１０５）。ステップＳ１０６で制御部９０は図３のフローチャートに示す処理を開始し、図３のステップＳ１００１とＳ１００２の処理により、図７の１１０６ａに示すようメディア状態情報９２１を更新し、図３のステップＳ１００４〜Ｓ１０１４の処理により、出力状態を決定し、図７の１１０６ｃに示すよう出力状態情報９２３を更新する。すなわち、入力チャンネルＩＮ３に入力されているメディアストリームを出力チャンネルＯＵＴ３へ出力するよう更新する。
【００６７】
ステップＳ１０１５の処理で、出力状態情報１１０６ｃに従って出力手段５１に出力状態更新を指示すると（ステップＳ１０７）、出力手段５１は出力状態を変更し（ステップＳ１０８）、出力チャンネルＯＵＴ３へ音楽コンテンツのメディアストリームを出力開始すると（ステップＳ１０９）、出力チャンネルＯＵＴ３に接続されている内蔵スピーカー８１が音楽を放音する。図３のステップＳ１０１６では、内蔵スピーカー８１に新たに出力を開始したので、その旨の表示を表示手段５３に指示する（ステップＳ１１０）。
【００６８】
着信があると（ステップＳ１１１）、着信音再生手段２１が着信音の再生を開始し、着信音（メディア種別＝「ステレオ」）のメディアストリームが、出力手段５１の入力チャンネルＩＮ２に入力される（ステップＳ１１２、Ｓ１１３）。第２メディア状態検知手段２５は、着信音再生が開始したことを検知し（ステップＳ１１４）、制御部９０に対してメディア状態検知信号２６を送信する（ステップＳ１１５）。ステップＳ１１６で制御部９０は図３のフローチャートに示す処理を開始し、図３のステップＳ１００１とＳ１００２の処理により、図７の１１１６ａに示すようメディア状態情報９２１を更新し、図３のステップＳ１００４〜Ｓ１０１４の処理により、出力状態を決定し、図７の１１１６ｃに示すよう出力状態情報９２３を更新する。すなわち、入力チャンネルＩＮ２とＩＮ３に入力されているメディアストリームを重畳して出力チャンネルＯＵＴ３へ出力するよう更新する。
【００６９】
ステップＳ１０１５の処理で、出力状態情報１１１６ｃに従って出力手段５１に出力状態更新を指示すると（ステップＳ１１７）、出力手段５１は出力状態を変更し（ステップＳ１１８）、出力チャンネルＯＵＴ３へ音楽コンテンツと着信音のメディアストリームを重畳して出力開始すると（ステップＳ１１９）、内蔵スピーカー８１が音楽と着信音を重畳した状態で放音する。
【００７０】
オフフック操作があると（ステップＳ１２０）、復号手段１３が出力する通話音声（メディア種別＝「モノラル通話」）のメディアストリームが、出力手段５１の入力チャンネルＩＮ１に入力される（ステップＳ１２１）とともに、着信音の再生が停止する（ステップＳ１２２）。第１メディア状態検知手段１５は、通話の開始を検知し（ステップＳ１２４）、制御部９０に対してメディア状態検知信号１６を送信する（ステップＳ１２５）。ステップＳ１２６で制御部は図３のフローチャートに示す処理を開始し、図３のステップＳ１００１とＳ１００２の処理により、図７の１１２６ａに示すようメディア状態情報９２１を更新し、図３のステップＳ１００４〜Ｓ１０１４の処理により、出力状態を決定し、図７の１１２６ｃに示すよう出力状態情報９２３を更新する。すなわち、入力チャンネルＩＮ１とＩＮ３に入力されているメディアストリームを重畳して出力チャンネルＯＵＴ３へ出力するよう更新する。
【００７１】
ステップＳ１０１５の処理で、出力状態情報１１２６ｃに従って出力手段５１に出力状態更新を指示すると（ステップＳ１２７）、出力手段５１は出力状態を変更し（ステップＳ１２８）、出力チャンネルＯＵＴ３へ音楽コンテンツと通話音声のメディアストリームを重畳して出力開始すると（ステップＳ１２９）、内蔵スピーカー８１が音楽と通話音声を重畳した状態で放音する。
【００７２】
Ｂｌｕｅｔｏｏｔｈヘッドセット６３の電源がオンとなり、Ｂｌｕｅｔｏｏｔｈ通信手段６１がヘッドセット６３との通信の確立を第１接続状態検知手段６２に通知すると（ステップＳ１３０）、第１接続状態検知手段６２は制御部９０に対して接続状態検知信号６４を送信する（ステップＳ１３１）。ステップＳ１３２で制御部９０は図３のフローチャートに示す処理を開始し、図３のステップＳ１００１とＳ１００２の処理により、図７の１１３２ｂに示すよう接続状態情報９２２を更新する。すなわち、出力手段５１の出力チャンネルＯＵＴ１にヘッドセットが、ＯＵＴ３に内蔵スピーカーがそれぞれ接続されて放音可能となっていることを示すよう更新する。
【００７３】
続いて、ステップＳ１００４〜Ｓ１０１４の処理を実行するが、Ｃ＝ＩＮ１の場合のステップＳ１００７の処理において、メディア種別Ｍ（＝「モノラル通話」）の優先度が最も高い装置Ｄとしてヘッドセットが選択される。なぜなら、図４の優先出力情報９３１の「モノラル通話」の列に記されているヘッドセットの優先度「３」は、内蔵スピーカーの優先度「２」に比較して高い優先度を示しているからである。以上の判断に基づいて出力状態を決定し、図７の１１３２ｃに示すよう出力状態情報９２３を更新する。すなわち、入力チャンネルＩＮ１に入力されている通話音声のメディアストリームを出力チャンネルＯＵＴ１へ、入力チャンネルＩＮ３に入力されている音楽のメディアストリームを出力チャンネルＯＵＴ３へそれぞれ出力するよう更新する。
【００７４】
ステップＳ１０１５の処理で、出力状態情報１１３２ｃに従って出力手段５１に出力状態更新を指示すると（ステップＳ１３３）、出力手段５１は出力状態を変更し、出力チャンネルＯＵＴ１へ通話音声のメディアストリームを（ステップＳ１３４）、出力チャンネルＯＵＴ３へ音楽のメディアストリームを（ステップＳ１３５）それぞれ出力開始する。
【００７５】
その結果、ヘッドセット６３から通話音声が、内蔵スピーカー８１から音楽がそれぞれ放音される。ヘッドセット６３が新たに出力を開始したので、ステップＳ１０１６でその旨の表示を表示手段５３に指示する（ステップＳ１３６）。ステップＳ１３６における表示手段５３の表示出力を図８に示す。
【００７６】
以上、本発明の実施の形態１では、携帯電話端末で音楽コンテンツを再生している最中に着信があり通話を行う際に、Ｂｌｕｅｔｏｏｔｈヘッドセットを携帯電話端末に接続すると、音楽を内蔵スピーカーで、通話音声をヘッドセットで聴取することができるよう、出力状態を自動的に切り替える。
【００７７】
このように本実施の形態の情報出力装置、または情報出力制御方法、または情報出力制御プログラムによれば、出力手段に入力されるメディアストリームの状態を検知し、提示装置と出力手段との接続状態を検知し、検知の結果と優先出力情報に基づいて出力手段の出力状態を決定している。これにより、出力するメディアストリームの組合せと提示装置の接続の状態に応じて、メディアストリームの提示状態を自動的に変化させることができるので、ユーザはわずらわしい切替え操作をせずに最適な状態で視聴を続けることができ、利便性が向上する。
【００７８】
また、本実施の形態の情報出力装置、または情報出力制御方法、または情報出力制御プログラムによれば、音楽再生音と着信音の二つのストリーミングを同一の提示装置である内蔵スピーカーに重畳して出力することにより、音楽再生中であっても着信が合ったことに気がつきやすくなり、ユーザの利便性が向上する。
【００７９】
また、本実施の形態の情報出力装置、または情報出力制御方法、または情報出力制御プログラムによれば、音楽再生音と通話音の二つのストリーミングを内蔵スピーカーとＢｌｕｅｔｏｏｔｈヘッドセットに分けて出力することにより、音楽再生中であっても通話音を明瞭に聞き分けて通話することができ、ユーザの利便性が向上する。
【００８０】
（第２の実施の形態）
【００８１】
本発明の実施の形態２では、携帯電話端末で音楽コンテンツを再生してステレオヘッドホンで聴いている最中に着信があり、ユーザがオフフックボタンを押すと、音楽をステレオヘッドホンで聴きながら通話音声を内蔵スピーカーで聴くことができるよう、出力状態を自動的に切り替えるものである。
【００８２】
図９は、本発明の実施の形態２における携帯電話端末の利用イメージの説明図である。
【００８３】
携帯電話端末１で再生している音楽がステレオヘッドホン７３から放音され、ユーザがそれを聴いている（図９（ａ））時、着信があり、ユーザはオフフックボタンを押し、携帯電話端末１を耳に当てた状態で、内蔵スピーカー８１から放音される通話音声をステレオヘッドホン７３ごしに聴きながら通話している（図９（ｂ））。
【００８４】
図１０は、実施の形態２における携帯電話端末の処理シーケンス図である。また、図１１は、実施の形態２における携帯電話端末の処理において、状態情報保持手段９２が保持するメディア状態情報９２１、接続状態情報９２２、および出力状態情報９２３が、処理が進むにつれてどう変化するかを示した図である。
【００８５】
以下、図１０、図１１を用いて実施の形態２における携帯電話端末の処理の流れを説明する。まず、初期状態では、メディア状態情報９２１は図１１の２２００ａに示す状態となっている。すなわち、出力手段５１の入力チャンネルＩＮ１〜ＩＮ４にメディアストリームは入力されていない。接続状態情報９２２は２２００ｂに示す状態となっている。すなわち、出力手段５１の出力チャンネルＯＵＴ２にステレオヘッドホンが、ＯＵＴ３に内蔵スピーカーがそれぞれ接続されて放音可能となっており、その他の出力チャンネル（ＯＵＴ１）には提示装置は接続されていない。出力状態情報９２３は２２００ｃに示す状態となっている。すなわち、出力チャンネルＯＵＴ１〜ＯＵＴ３には何も出力されていない。
【００８６】
音楽再生の開始（ステップＳ２０１）により、音楽再生手段３２が出力する音楽コンテンツ（メディア種別＝「Ｈｉ−Ｆｉステレオ」）のメディアストリームが、出力手段５１の入力チャンネルＩＮ３に入力される（ステップＳ２０２、Ｓ２０３）。第３メディア状態検知手段３５は、音楽再生が開始したことを検知し（ステップＳ２０４）、制御部９０に対してメディア状態検知信号３６を送信する（ステップＳ２０５）。ステップＳ２０６で制御部９０は図３のフローチャートに示す処理を開始し、図３のステップＳ１００１とＳ１００２の処理により、図１１の２２０６ａに示すようメディア状態情報９２１を更新し、図３のステップＳ１００４〜Ｓ１０１４の処理により、出力状態を決定し、図１１の２２０６ｃに示すよう出力状態情報９２３を更新する。すなわち、入力チャンネルＩＮ３に入力されているメディアストリームを出力チャンネルＯＵＴ２へ出力するよう更新する。
【００８７】
ステップＳ１０１５の処理で、出力状態情報２２０６ｃに従って出力手段５１に出力状態更新を指示すると（ステップＳ２０７）、出力手段５１は出力状態を変更し（ステップＳ２０８）、出力チャンネルＯＵＴ２へ音楽コンテンツのメディアストリームを出力開始すると（ステップＳ２０９）、出力チャンネルＯＵＴ２に接続されているステレオヘッドホン７３が音楽を放音する。図３のステップＳ１０１６では、ヘッドホン７３に新たに出力を開始したので、その旨の表示を表示手段５３に指示する（ステップＳ２１０）。
【００８８】
着信があると（ステップＳ２１１）、着信音再生手段２１が着信音の再生を開始し、着信音（メディア種別＝「ステレオ」）のメディアストリームが、出力手段５１の入力チャンネルＩＮ２に入力される（ステップＳ２１２、Ｓ２１３）。第２メディア状態検知手段２５は、着信音再生が開始したことを検知し（ステップＳ２１４）、制御部９０に対してメディア状態検知信号２６を送信する（ステップＳ２１５）。ステップＳ２１６で制御部は図３のフローチャートに示す処理を開始し、図３のステップＳ１００１とＳ１００２の処理により、図１１の２２１６ａに示すようメディア状態情報９２１を更新し、図３のステップＳ１００４〜Ｓ１０１４の処理により、出力状態を決定し、図１１の２２１６ｃに示すよう出力状態情報９２３を更新する。すなわち、入力チャンネルＩＮ２とＩＮ３に入力されているメディアストリームを重畳して出力チャンネルＯＵＴ２へ出力するよう更新する。
【００８９】
ステップＳ１０１５の処理で、出力状態情報２２１６ｃに従って出力手段５１に出力状態更新を指示すると（ステップＳ２１７）、出力手段５１は出力状態を変更し（ステップＳ２１８）、出力チャンネルＯＵＴ２へ音楽コンテンツと着信音のメディアストリームを重畳して出力開始すると（ステップＳ２１９）、ステレオヘッドホン７３が音楽と着信音を重畳した状態で放音する。
【００９０】
オフフック操作があると（ステップＳ２２０）、復号手段１３が出力する通話音声（メディア種別＝「モノラル通話」）のメディアストリームが、出力手段５１の入力チャンネルＩＮ１に入力される（ステップＳ２２１）とともに、着信音の再生が停止する（ステップＳ２２２）。第１メディア状態検知手段１５は、通話の開始を検知し（ステップＳ２２４）、制御部９０に対してメディア状態検知信号１６を送信する（ステップＳ２２５）。ステップＳ２２６で制御部は図３のフローチャートに示す処理を開始し、図３のステップＳ１００１とＳ１００２の処理により、図１１の２２２６ａに示すようメディア状態情報９２１を更新する。
【００９１】
続いて、ステップＳ１００４〜Ｓ１０１４の処理を実行するが、Ｃ＝ＩＮ１の場合のステップＳ１００７の処理において、メディア種別Ｍ（＝「モノラル通話」）の優先度が最も高い装置Ｄとして内蔵スピーカーが選択される。なぜなら、図４の優先出力情報９３１の「モノラル通話」の列に記されている内蔵スピーカーの優先度「２」は、ステレオヘッドホンの優先度「１」に比較して高い優先度を示しているからである。以上の判断に基づいて出力状態を決定し、図１１の２２２６ｃに示すよう出力状態情報９２３を更新する。
【００９２】
すなわち、入力チャンネルＩＮ１に入力されているメディアストリームを出力チャンネルＯＵＴ３へ、ＩＮ３に入力されているメディアストリームをＯＵＴ２へ、それぞれ出力するよう更新する。
【００９３】
ステップＳ１０１５の処理で、出力状態情報２２２６ｃに従って出力手段５１に出力状態更新を指示すると（ステップＳ２２７）、出力手段５１は出力状態を変更し（ステップＳ２２８）、出力チャンネルＯＵＴ２へ音楽コンテンツのメディアストリームを（ステップＳ２２９）、ＯＵＴ３へ通話音声のメディアストリームを（ステップＳ２３０）それぞれ出力開始すると、内蔵スピーカー８１が通話音声を放音し、ヘッドホン７３が音楽を放音する。内蔵スピーカー８１が新たに出力を開始したので、ステップＳ１０１６でその旨の表示を表示手段５３に指示する（ステップＳ２３１）。このときの表示出力を図１２に示す。
【００９４】
以上、本発明の実施の形態における実施の形態２では、携帯電話端末で音楽コンテンツを再生してステレオヘッドホンで聴いている最中に着信があり、ユーザがオフフックボタンを押すと、音楽をステレオヘッドホンで聴きながら通話音声を内蔵スピーカーで聴くことができるよう、出力状態を自動的に切り替える。
【００９５】
（第３の実施の形態）
【００９６】
本発明の実施の形態３では、提示装置の接続状態を変更した際、優先度の競合する出力状態を選択肢としてユーザに提示して選択させ、ユーザの選択に基づいて出力状態を切り替えるものである。
【００９７】
図１３は、本発明の実施の形態３における携帯電話端末の利用イメージの説明図である。携帯電話端末１がＴＶ放送を受信し、ＴＶ音声が内蔵スピーカー８１から放音され、ユーザがそれを聴いている（図１３（ａ））時、着信があり、ユーザはモノラルイヤホン７５を携帯電話端末１のヘッドホンジャック７１に接続し、モノラルイヤホン７５から放音される通話音声を聴くとともに、内蔵スピーカー８１から放音されるＴＶ音声を継続して聴いている（図１３（ｂ））。
【００９８】
図１４は、実施の形態３における携帯電話端末の処理シーケンス図である。また、図１５は、実施の形態３における携帯電話端末の処理において、状態情報保持手段９２が保持するメディア状態情報９２１、接続状態情報９２２、および出力状態情報９２３が、処理が進むにつれてどう変化するかを示した図である。
【００９９】
以下、図１４、図１５を用いて実施の形態３における携帯電話端末の処理の流れを説明する。まず、初期状態では、メディア状態情報９２１は図１５の３３００ａに示す状態となっている。すなわち、出力手段５１の入力チャンネルＩＮ１〜ＩＮ４にメディアストリームは入力されていない。接続状態情報９２２は３３００ｂに示す状態となっている。すなわち、出力手段５１の出力チャンネルＯＵＴ３に内蔵スピーカーが接続されて放音可能となっており、その他の出力チャンネル（ＯＵＴ１、ＯＵＴ２）には提示装置は接続されていない。出力状態情報９２３は３３００ｃに示す状態となっている。すなわち、出力チャンネルＯＵＴ１〜ＯＵＴ３には何も出力されていない。
【０１００】
ＴＶ放送受信の開始（ステップＳ３０１）により、音声復号手段４３が出力するＴＶ音声（メディア種別＝「モノラル」）のメディアストリームが、出力手段５１の入力チャンネルＩＮ４に入力される（ステップＳ３０２、Ｓ３０３）。第４メディア状態検知手段４５は、ＴＶ音声の出力が開始したことを検知し（ステップＳ３０４）、制御部９０に対してメディア状態検知信号４６を送信する（ステップＳ３０５）。ステップＳ３０６で制御部９０は図３のフローチャートに示す処理を開始し、図３のステップＳ１００１とＳ１００２の処理により、図１５の３３０６ａに示すようメディア状態情報９２１を更新し、図３のステップＳ１００４〜Ｓ１０１４の処理により、出力状態を決定し、図１５の３３０６ｃに示すよう出力状態情報９２３を更新する。すなわち、入力チャンネルＩＮ４に入力されているメディアストリームを出力チャンネルＯＵＴ３へ出力するよう更新する。
【０１０１】
ステップＳ１０１５の処理で、出力状態情報３３０６ｃに従って出力手段５１に出力状態更新を指示すると（ステップＳ３０７）、出力手段５１は出力状態を変更し（ステップＳ３０８）、出力チャンネルＯＵＴ３へＴＶ音声のメディアストリームを出力開始すると（ステップＳ３０９）、出力チャンネルＯＵＴ３に接続されている内蔵スピーカー８１がＴＶ音声を放音する。図３のステップＳ１０１６では、内蔵スピーカー８１に新たに出力を開始したので、その旨の表示を表示手段５３に指示する（ステップＳ３１０）。
【０１０２】
着信があると（ステップＳ３１１）、着信音再生手段２１が着信音の再生を開始し、着信音（メディア種別＝「ステレオ」）のメディアストリームが、出力手段５１の入力チャンネルＩＮ２に入力される（ステップＳ３１２、Ｓ３１３）。第２メディア状態検知手段２５は、着信音再生が開始したことを検知し（ステップＳ３１４）、制御部９０に対してメディア状態検知信号２６を送信する（ステップＳ３１５）。ステップＳ３１６で制御部は図３のフローチャートに示す処理を開始し、図３のステップＳ１００１とＳ１００２の処理により、図１５の３３１６ａに示すようメディア状態情報９２１を更新し、図３のステップＳ１００４〜Ｓ１０１４の処理により、出力状態を決定し、図１５の３３１６ｃに示すよう出力状態情報９２３を更新する。すなわち、入力チャンネルＩＮ２とＩＮ４に入力されているメディアストリームを重畳して出力チャンネルＯＵＴ３へ出力するよう更新する。
【０１０３】
ステップＳ１０１５の処理で、出力状態情報３３１６ｃに従って出力手段５１に出力状態更新を指示すると（ステップＳ３１７）、出力手段５１は出力状態を変更し（ステップＳ３１８）、出力チャンネルＯＵＴ３へＴＶ音声と着信音のメディアストリームを重畳して出力開始すると（ステップＳ３１９）、内蔵スピーカー８１がＴＶ音声と着信音を重畳した状態で放音する。
【０１０４】
オフフック操作があると（ステップＳ３２０）、復号手段１３が出力する通話音声（メディア種別＝「モノラル通話」）のメディアストリームが、出力手段５１の入力チャンネルＩＮ１に入力される（ステップＳ３２１）とともに、着信音の再生が停止する（ステップＳ３２２）。第１メディア状態検知手段１５は、通話の開始を検知し（ステップＳ３２４）、制御部９０に対してメディア状態検知信号１６を送信する（ステップＳ３２５）。ステップＳ３２６で制御部は図３のフローチャートに示す処理を開始し、図３のステップＳ１００１とＳ１００２の処理により、図１５の３３２６ａに示すようメディア状態情報９２１を更新し、図３のステップＳ１００４〜Ｓ１０１４の処理により、出力状態を決定し、図１５の３３２６ｃに示すよう出力状態情報９２３を更新する。すなわち、入力チャンネルＩＮ１とＩＮ４に入力されているメディアストリームを重畳して出力チャンネルＯＵＴ３へ出力するよう更新する。
【０１０５】
ステップＳ１０１５の処理で、出力状態情報３３２６ｃに従って出力手段５１に出力状態更新を指示すると（ステップＳ３２７）、出力手段５１は出力状態を変更し（ステップＳ３２８）、出力チャンネルＯＵＴ３へＴＶ音声と通話音声のメディアストリームを重畳して出力開始すると（ステップＳ３２９）、内蔵スピーカー８１がＴＶ音声と通話音声を重畳した状態で放音する。
【０１０６】
モノラルイヤホン７５がヘッドホンジャック７１に接続されると、第２接続状態検知手段７２がそれを検知し（ステップＳ３３０）、第２接続状態検知手段７２は制御部９０に対して接続状態検知通知７４を送信する（ステップＳ３３１）。ステップＳ３３２で制御部９０は図３のフローチャートに示す処理を開始し、図３のステップＳ１００１とＳ１００２の処理により、図１５の３３３２ｂに示すよう接続状態情報９２２を更新する。すなわち、出力手段５１の出力チャンネルＯＵＴ２にモノラルイヤホンが、ＯＵＴ３に内蔵スピーカーがそれぞれ接続されて放音可能となっていることを示すよう更新する。
【０１０７】
続いて、ステップＳ１００４〜Ｓ１０１４の処理を実行するが、Ｃ＝ＩＮ１の場合のステップＳ１００７の処理において、メディア種別Ｍ（＝「モノラル通話」）の優先度が最も高い装置Ｄにモノラルイヤホンと内蔵スピーカーの２個が該当する。なぜなら、図４の優先出力情報９３１の「モノラル通話」の列に記されているモノラルイヤホンの優先度「２」と、内蔵スピーカーの優先度「２」とが同じ優先度を示しているからである。従って、ステップＳ１００８の条件である「Ｄに該当する装置が２個以上ある」に合致するためステップＳ１００９〜Ｓ１０１１の処理を実行することとなる。ステップＳ１００９で制御部９０は出力状態（装置）の選択肢と入力を促すテキストから成る補助情報の表示を表示手段５３に指示する（ステップＳ３３３）。
【０１０８】
ステップＳ３３３における表示手段５３の表示出力を図１６（ａ）に示す。入力を促すテキストの下に、出力状態の３通りの選択肢を表示している。「イヤホン」は通話音声をモノラルイヤホン７５に出力する選択肢、「内蔵スピーカー」は内蔵スピーカー８１に出力する選択肢、「イヤホン＋内蔵スピーカー」はモノラルイヤホン７５と内蔵スピーカー８１の両方に出力する選択肢をそれぞれ示している。このとき、最後に出力手段５１に接続された提示装置を接続状態情報９２２に基づいて求め、その提示装置に出力する選択肢の項目をフォーカスした（矩形で囲んだ）状態で表示する。本実施の形態では、モノラルイヤホンが最後に接続されたので、項目「イヤホン」をフォーカスした状態で表示している。ユーザは十字キー５４の上端と下端を押下する操作により項目のフォーカスを移動することができる。さらに、十字キー５４の中央部分を押下することでフォーカス状態の項目を選択決定することができる。ここでは、ユーザが項目「イヤホン」を選択決定したものとして以下の処理を説明する。
【０１０９】
ユーザが選択肢を選択することで出力状態を選択する操作を行うと（ステップＳ３３４）、操作入力受付手段５５が操作入力を検知して操作入力情報５５１を制御部９０に通知する（ステップＳ３３５）。通知された操作入力情報５５１を図１７に示す。操作入力情報５５１は、「ｓｅｌｅｃｔ＝」の文字列と、選択された項目に対応する提示装置名をダブルクオーテーションで囲んだ文字列とで構成された文字列である。図３のステップＳ１０１０で、制御部９０は操作入力情報５５１を受け取り、ステップＳ１０１１で、受け取った操作入力情報５５１から提示装置名「モノラルイヤホン」を抽出して変数Ｄに代入する。
【０１１０】
以上の処理により出力状態を決定し、図１５の３３３２ｃに示すよう出力状態情報９２３を更新する。すなわち、入力チャンネルＩＮ１に入力されている通話音声のメディアストリームを出力チャンネルＯＵＴ２へ、入力チャンネルＩＮ４に入力されているＴＶ音声のメディアストリームを出力チャンネルＯＵＴ３へそれぞれ出力するよう更新する。
【０１１１】
ステップＳ１０１５の処理で、出力状態情報３３３２ｃに従って出力手段５１に出力状態更新を指示すると（ステップＳ３３６）、出力手段５１は出力状態を変更し、出力チャンネルＯＵＴ２へ通話音声のメディアストリームを（ステップＳ３３８）、出力チャンネルＯＵＴ３へＴＶ音声のメディアストリームを（ステップＳ３３９）それぞれ出力開始する。その結果、モノラルイヤホン７５から通話音声が、内蔵スピーカー８１からＴＶ音声がそれぞれ放音される。モノラルイヤホンが新たに出力を開始したので、ステップＳ１０１６でその旨の表示を表示手段５３に指示する（ステップＳ３４０）。このときの表示出力を図１６（ｂ）に示す。
【０１１２】
以上、本発明の実施の形態３においては、提示装置の接続状態を変更した際、優先度の競合する出力状態を選択肢としてユーザに提示して選択させ、ユーザの選択に基づいて出力状態を切り替える。
【０１１３】
本実施の形態の情報出力装置、または情報出力制御方法、または情報出力制御プログラムによれば、メディアストリームの状態と、提示装置と出力手段との接続状態と、優先出力情報と、から求められる優先的な出力状態が２以上あるとき、出力状態の選択肢を提示して選択操作の操作入力を受け付け、入力結果に基づいて出力状態を決定している。これにより、優先的な出力状態の競合が生じた場合にユーザの判断に基づいて出力状態を決定できるので、状況に応じてユーザが視聴方法を柔軟に選択することができ、利便性が向上する。
【０１１４】
（第４の実施の形態）
【０１１５】
本発明の実施の形態４では、提示装置の優先出力情報９３１を設定する処理について図１８と図１９を用いて説明する。図１８は互いに異なる優先出力情報９３１のバリエーションを示す図である。図１８（ａ）は「音質優先モード」、図１８（ｂ）は「外部出力優先モード」、図１８（ｃ）は「秘匿通話モード」の優先出力情報である。
【０１１６】
図１８（ａ）の優先出力情報は、Ｈｉ−Ｆｉステレオに対してステレオヘッドホンの優先度を他より極端に高く設定したもので、高音質のメディアストリームだけを他のメディアストリームと分離してステレオヘッドホンで再生する、音質重視の優先出力情報となっている。図１８（ｂ）の優先出力情報は、内蔵スピーカー以外の提示装置、すなわちメディアストリームを携帯電話端末の外部へ出力する提示装置の優先度を全体的に高く設定してあり、外部出力する提示装置が接続された場合には優先的に外部へ出力する、外部出力優先型の優先出力情報となっている。図１８（ｃ）の優先出力情報は、モノラル通話に対して外部出力する提示装置の優先度を高く設定したもので、外部出力する提示装置が接続されている場合には内蔵スピーカーから通話音声を出力せずに秘匿する優先出力情報となっている。
【０１１７】
図１８（ａ）、（ｂ）、（ｃ）の優先出力情報は設定手段５６が保持しており、表示手段５３に表示された優先出力情報の選択肢を、ユーザが十字キー５４の操作により選択することで、優先出力情報９３１を所望のものに設定することができる。
【０１１８】
図１９（ａ）は、優先出力情報の選択画面である。「音質優先モード」は図１８（ａ）の優先出力情報に対応し、「外部出力優先モード」は図１８（ｂ）の優先出力情報に対応し、「秘匿通話モード」は図１８（ｃ）の優先出力情報に対応する。ユーザは十字キー５４の上端と下端を押下することでフォーカスを上下に移動することができ、十字キー５４の中央部分を押下することでフォーカス状態の項目を選択決定することができる。選択操作は設定手段５６が受け付け、選択結果に対応する優先出力情報を優先出力情報保持手段９３に格納するとともに、設定処理が完了したことを知らせる図１９（ｂ）の表示を表示手段５５に指示する。
【０１１９】
本実施形態の情報出力装置、または情報出力制御方法、または情報出力制御プログラムによれば、設定手段によって優先出力情報を設定・変更することが可能になっている。これにより、ユーザが優先出力情報を設定・変更することができるので、ユーザの好みに応じた視聴方法を選ぶことができ、利便性が向上する。
【０１２０】
なお、本実施の形態において、出力手段の入出力となるメディアストリームとしてオーディオメディアストリームを用いたが、これに限るものではなく、ＭＩＤＩ等の楽音シーケンス、パラメトリックオーディオや合成音声の生成パラメータ列等、聴覚的情報を含むストリームであれば何でもよい。また、映像、動画像、アニメーション、字幕等、視覚的情報を含むメディアストリームや、バイブレーターなど触感の情報を含むものであっても同様の効果が得られる。
【０１２１】
なお、本実施の形態において、出力状態は、メディアストリームの出力経路で定義されるとしたが、これに限るものではなく、メディアストリームの音量、音質、チャンネル毎の出力バランス、主音声／副音声のどちらを出力するか、ステレオ／モノラルのどちらで出力するか、等で定義されるものであってもよい。また、映像の輝度、大きさ、フレームレートなどで定義されるものであってもよい。
【０１２２】
なお、本実施の形態において、提示装置として内蔵スピーカー、ヘッドセット、ステレオヘッドホン、モノラルイヤホンを用いたが、これに限るものではなく、外部スピーカー、骨伝導モジュール、ディスプレイ、プロジェクター、バイブレーションモジュール等、メディアストリームを視覚的または聴覚的または触覚的に認知可能に提示する装置であれば何でもよい。
【０１２３】
なお、本実施の形態において、提示装置を出力手段に接続する方法を、Ｂｌｕｅｔｏｏｔｈ通信による方法と、ヘッドホンジャックによる方法としたが、これに限るものではなく、ピンジャック、モジュラージャック、オプティカル端子、ＵＳＢ端子、シリアル端子、パラレル端子、ＶＧＡ端子、ＡＶ出力端子、外部バスのコネクタ、ＩＥＥＥ１３９４端子、バランス出力端子、ＤＩＮ端子、ＭＩＤＩ端子、導線、導電性の筐体等による有線接続や、可視光線、赤外線、紫外線等の電磁波、超音波、磁気伝送、静電容量伝送等による無線接続であってもよい。
【０１２４】
なお、本実施の形態において、接続状態は、出力手段にどの提示装置が接続されているかで定義されるとしたが、これに限るものではなく、ステレオとモノラル、主音声と副音声等の提示装置における出力モードの選択状態、提示装置に付随するボリューム設定の値等のパラメータ等で定義されるものであってもよい。また、色数、解像度、表示サイズ、周波数特性など、提示性能を表したものであってもよい。
【０１２５】
なお、本実施の形態において、接続状態検知手段はヘッドホンジャックへの着脱状態が変化する時、Ｂｌｕｅｔｏｏｔｈの通信状態が変化する時に接続状態を通知するとしたが、これに限るものではなく、提示装置のスイッチのオン／オフ、無線到達圏内／圏外移動等の物理的な状態が変化する時や、機器間認証の完了等の論理的な状態が変化する時や、スピーカーの外蓋の開閉等、提示装置の外形的な変化を伴って提示可能／不可能の状態が変化する時や、ステレオ／モノラル、主音声／副音声の切替え等、提示出力のモードが変化する時や、提示装置に付随するボリュームの増減等、提示出力のパラメータが変化する時であってもよい。
【０１２６】
なお、本実施の形態において、提示装置を出力手段に直接に接続するものとしたが、これに限るものではなく、出力手段と提示装置との接続状態が検知可能であれば、出力手段と提示装置との間にアンプ、音声合成モジュール、音源モジュール、通信モジュール等、別の機器を介在させてもよい。
【０１２７】
なお、本実施の形態において、メディア状態はメディアストリームが開始している／開始していないのいずれかの値と、メディアストリームのメディア種別との組合せによって定義されるとしたが、これに限るものではなく、メディアの音量、バランス等で定義されるものであってもよい。
【０１２８】
なお、本実施の形態において、メディア種別は、Ｈｉ−Ｆｉステレオ、ステレオ、モノラル、モノラル通話のうちのいずれかであるとしたが、これに限るものではなく、通話音声、音楽、ＴＶ、映画、ＴＶ電話画像、字幕、着信通知等、メディアストリームの内容を表す種別であってもよいし、ＡＤＰＣＭ、ＭＰＥＧ、ＡＶＩ、ＷＭＶ、ＲＡＭ、ＭＯＶ、ＷＡＶ、ＭＰ３、ＡＡＣ、ＡＭＲ、ＡＴＲＡＣ、μーＬＡＷ、Ａ−ＬＡＷ、ＡＩＦＦ等、圧縮形式やフォーマットの違いを表す種別であってもよいし、ＭＩＤＩ等のシーケンスオーディオ、ＡＭＲ等のパラメトリックオーディオ、ＡＡＣなどの波形データといった違いを表す種別であってもよいし、画像／音声／振動といった表層上の違いを表す種別であってもよいし、周波数特性の違いを表す種別であってもよいし、ファイルサイズの違いによる種別であってもよいし、ビットレートの違いによる種別であってもよいし、サンプリングレートの違いによる種別であってもよいし、解像度の違いによる種別であってもよい。
【０１２９】
なお、本実施の形態において、出力状態を決定する処理（ステップＳ１００４〜Ｓ１０１４）で、各々の入力チャンネルごとに出力状態を順次決定するようにしたが、これに限るものではなく、出力チャンネルごと、接続されている装置ごとに決定するようにしてもよい。
【０１３０】
なお、本実施の形態において、ステップＳ１００９で、出力状態の選択肢をテキスト表示するようにしたが、これに限るものではなく、映像、グラフィックス、アニメーション等の視覚的手段で表示してもよいし、音声によって通知してもよいし、提示装置または提示装置の接続部分近辺を光らせる、振動させる、変形させる等の方法で通知してもよい。
【０１３１】
なお、本実施の形態においてステップＳ１００８〜Ｓ１０１２で、装置の優先度が競合した場合にユーザに問い合わせた後に出力状態を決定するようにしたが、これに限るものではなく、競合する複数の装置に出力を一旦開始した後に、出力を継続すべき装置または出力を停止すべき装置をユーザに選択させるようにしてもよい。
【０１３２】
なお、本実施の形態において、ステップＳ１０１０で、操作入力受付手段は十字キーの操作入力を受け付けるとしたが、これに限るものではなく、十字キー以外にも、ボタン、キー、マウス、タブレット、ジョイスティック、タッチパネル、リモコン等の操作入力や、視線、音声、ジャスチャー、ダイヤルトーン等による操作入力を受け付けるようにしてもよい。
【０１３３】
なお、本実施の形態において、操作入力情報は図１７に示す形式のテキストデータであるとしたが、これに限るものではなく、ユーザが選択した出力状態が同定できるデータであればよく、ＨＴＭＬ、ＸＭＬ、ＳＧＭＬ等のマークアップ言語による表現であってもよいし、バイナリデータや電文であってもよい。
【０１３４】
なお、本実施の形態において、優先出力情報は図４に示す形式であるとしたが、これに限るものではなく、メディア状態と接続状態との組合せに対する優先的な出力状態を規定するデータであればどのような形式であってもよい。
【０１３５】
なお、本実施の形態において、優先出力情報のバリエーションは設定手段が保持するとしたが、これに限るものではなく、優先出力情報保持手段が保持していてもよいし、着脱可能な蓄積メディア、インターネット、公衆回線網、データ放送等を介して外部から取り込んだものを設定手段が選択・設定するようにしてもよい。
【０１３６】
なお、本実施の形態において、情報出力装置として携帯電話端末を例に説明したが、これに限るものではなく、固定電話、ＰＤＡ、電子ブック、ゲーム機、テレビ、ラジオ、ＤＶＤプレーヤー、ヘッドホンステレオ、半導体プレーヤー、ＣＤプレーヤー、ハードディスク内蔵音楽プレーヤー、オーディオアンプ、ＡＶアンプでも良い。さらに、これらに限定されず、メディアストリームの出力機能を持つ機器であればよい。
【０１３７】
本発明を詳細にまた特定の実施態様を参照して説明したが、本発明の精神と範囲を逸脱することなく様々な変更や修正を加えることができることは当業者にとって明らかである。
【０１３８】
本出願は、2004年10月26日出願の日本特許出願（特願2004−311402）に基づくものであり、その内容はここに参照として取り込まれる。
【産業上の利用可能性】
【０１３９】
本発明は、出力する映像や音声等のメディアストリームの組合せと、ヘッドホンやヘッドセット等の提示装置の接続状態に応じて、どのようにメディアストリームを出力するかを自動的に決定する場合に利用可能である。
【図面の簡単な説明】
【０１４０】
【図１】本発明の実施の形態における携帯電話端末の簡略構成図
【図２】本発明の実施の形態における携帯電話端末の詳細構成図
【図３】本発明の実施の形態における携帯電話端末のフローチャート
【図４】本発明の実施の形態における携帯電話端末の優先出力情報を示す図
【図５】（ａ）本発明の実施の形態１における携帯電話端末で音楽コンテンツを再生しているイメージ図（ｂ）音楽コンテンツを再生しながら通話を行うイメージ図
【図６】本発明の実施の形態１における携帯電話端末のシーケンス図
【図７】本発明の実施の形態１における携帯電話端末のメディア状態情報、接続状態情報、出力状態情報を示す図
【図８】本発明の実施の形態１における出力開始表示を示す図
【図９】（ａ）本発明の実施の形態２における携帯電話端末で音楽コンテンツを再生しているイメージ図（ｂ）音楽コンテンツを再生しながら通話を行うイメージ図
【図１０】本発明の実施の形態２における携帯電話端末シーケンス図
【図１１】本発明の実施の形態２における携帯電話端末のメディア状態情報、接続状態情報、出力状態情報を示す図
【図１２】本発明の実施の形態２における出力開始表示を示す図
【図１３】（ａ）本発明の実施の形態３における携帯電話端末でＴＶ放送受信のイメージ図（ｂ）ＴＶ放送を受信しながら通話を行うイメージ図
【図１４】本発明の実施の形態３における携帯電話端末のシーケンス図
【図１５】本発明の実施の形態３における携帯電話端末のメディア状態情報、接続状態情報、出力状態情報を示す図
【図１６】（ａ）本発明の実施の形態３における補助情報の表示を示す図（ｂ）本発明の実施の形態３における出力開始表示を示す図
【図１７】本発明の実施の形態３における操作入力情報の記述形式を示す図
【図１８】（ａ）本発明の実施の形態４における「音質優先モード」を示す図（ｂ）「外部出力優先モード」を示す図（ｃ）「秘匿通話モード」を示す図
【図１９】（ａ）本発明の実施の形態４における優先出力情報の選択画面図（ｂ）設定処理画面図
【符号の説明】
【０１４１】
１      携帯電話端末
１０２  接続状態検知手段
１０３  第２の検知信号
１０５  メディア状態検知手段
１０６  第１の検知信号
２      提示装置
１０    無線通信部
１１    無線通信手段
１２    符号化手段
１３    復号手段
１５    第１メディア状態検知手段
２０    着信音再生部
２１    着信音再生手段
２５    第２メディア状態検知手段
３０    音楽再生部
３１    音楽データ蓄積部
３２    音楽再生手段
３５    第３メディア状態検知手段
４０    放送受信部
４１    放送受信手段
４２    分離手段
４３    音声復号手段
４４    画像復号手段
４５    第４メディア状態検知手段
５１    出力手段
５２    内蔵マイク
５３    表示手段
５４    十字キー
５５    操作入力受付手段
５５１  操作入力情報
５６    設定手段
６１    Ｂｌｕｅｔｏｏｔｈ通信手段
６２    第１接続状態検知手段
６３    Ｂｌｕｅｔｏｏｔｈヘッドセット
７１    ヘッドホンジャック
７２    第２接続状態検知手段
７３    ステレオヘッドホン
７５    モノラルイヤホン
８１    内蔵スピーカー
８２    第３接続状態検知手段
９０    制御部
９１    出力先決定手段
９２    状態情報保持手段
９２１  メディア状態情報
９２２  接続状態情報
９２３  出力状態情報
９３    優先出力情報保持手段
９３１  優先出力情報
【図１】
0004384179.tif 000002
【図２】
0004384179.tif 000003
【図３】
0004384179.tif 000004
【図４】
0004384179.tif 000005
【図５】
0004384179.tif 000006
【図６】
0004384179.tif 000007
【図７】
0004384179.tif 000008
【図８】
0004384179.tif 000009
【図９】
0004384179.tif 000010
【図１０】
0004384179.tif 000011
【図１１】
0004384179.tif 000012
【図１２】
0004384179.tif 000013
【図１３】
0004384179.tif 000014
【図１４】
0004384179.tif 000015
【図１５】
0004384179.tif 000016
【図１６】
0004384179.tif 000017
【図１７】
0004384179.tif 000018
【図１８】
0004384179.tif 000019
【図１９】
0004384179.tif 000020